(57)【要約】  【課題】印刷物の元データを編集することなく、印刷物の内容を編集することができる画像形成システムを提供する。  【解決手段】（Ａ）は、原稿を例示し、（Ｂ）は、原稿が複写された結果である。複写物の下地領域には、デジタル情報が埋め込まれた下地画像が印刷されている。（Ｃ）は、複写物に手書きが加えられたものを例示する。（Ｄ）は、（Ｃ）に示される複写物がさらに複写されて生成された印刷物を例示する。画像形成システムは、読取画像に対応する画像が例えばサーバ等に記憶されているか否かを判定し、対応する画像が記憶されていると判定された読取画像の下地画像に基づいて編集領域を解析し、前記解析された編集領域と、前記記憶されている読取画像に対応する画像とに基づいて出力画像を生成し、出力画像を記録媒体に印刷する。【選択図】図１
2008279708.tif 000002
【特許請求の範囲】
【請求項１】
画像を記憶する記憶手段と、
画像を読み取る読取手段と、
前記読取手段により読み取られた読取画像に対応する画像が前記記憶手段に記憶されているか否かを判定する判定手段と、
前記判定手段により対応する画像が記憶されていると判定された読取画像の下地画像に基づいて編集領域を解析する解析手段と、
前記領域解析手段により解析された編集領域と、前記記憶手段に記憶されている読取画像に対応する画像とに基づいて出力画像を生成する生成手段と
を有する画像形成システム。
【請求項２】
前記判定手段は、読取画像の下地画像から取得される当該読取画像の識別子に基づいて判定する
請求項１に記載の画像形成システム。
【請求項３】
前記解析手段は、読取画像の下地画像に埋め込まれた位置情報に基づいて編集領域を解析する
請求項１又は２に記載の画像形成システム。
【請求項４】
前記生成手段は、記憶されている画像において編集領域に対応する部分画像を拡大する
請求項１乃至３のいずれかに記載の画像形成システム。
【請求項５】
前記生成手段は、記憶されている画像において編集領域に含まれる構成要素の色を変換する
請求項１乃至３のいずれかに記載の画像形成システム。
【請求項６】
コンピュータと、画像を読み取る読取手段とを含む画像形成装置において、
前記読取手段により読み取られた読取画像に対応する画像が記憶されているか否かを判定する判定ステップと、
前記判定により対応する画像が記憶されていると判定された読取画像の下地画像に基づいて編集領域を解析する解析ステップと、
前記解析された編集領域と、前記記憶されている読取画像に対応する画像とに基づいて出力画像を生成する生成ステップと
を前記画像形成装置のコンピュータに実行させるプログラム。
【発明の詳細な説明】
【技術分野】
【０００１】
本発明は、画像形成システム及びプログラムに関する。
【背景技術】
【０００２】
印刷された原稿を再利用して、可視性や訴求性の高い印刷物を生成することが求められている。例えば、可視性の高い印刷物は、高齢者にとって認識しやすく、訴求性の高い印刷物は、日常の業務において重要な役割を果たす。このような印刷物は、簡便な手法で生成されることが望ましい。
【０００３】
特許文献１では、元となる印刷物とそれに加えられた手書き画像を関連付ける技術が開示されている。
特許文献２では、手書きの取消し線を認識し、動作を決定する技術が開示されている。
非特許文献１では、画像にデジタル情報を埋め込む技術（ｉＴｏｎｅ）が開示されている。
【０００４】
【特許文献１】特開２００５−７４７２４号公報
【特許文献２】特開２００５−１１５９０７号公報
【非特許文献１】富士ゼロックス，「富士ゼロックス  テクニカルレポートＮｏ．１５  ２００５  紙ドキュメントのセキュリティ」，［ｏｎｌｉｎｅ」，平成１７年，［平成１９年４月１３日検索］，インターネット＜ＵＲＬ：http://www.fujixerox.co.jp/company/tr/15/t_04.html＞
【発明の開示】
【発明が解決しようとする課題】
【０００５】
本発明は、印刷物の元データを編集することなく、印刷物の内容を編集することができる画像形成システムを提供することを目的とする。
【課題を解決するための手段】
【０００６】
本発明に係る画像形成システムは、画像を記憶する記憶手段と、画像を読み取る読取手段と、前記読取手段により読み取られた読取画像に対応する画像が前記記憶手段に記憶されているか否かを判定する判定手段と、前記判定手段により対応する画像が記憶されていると判定された読取画像の下地画像に基づいて編集領域を解析する解析手段と、前記領域解析手段により解析された編集領域と、前記記憶手段に記憶されている読取画像に対応する画像とに基づいて出力画像を生成する生成手段とを有する。本発明によれば、印刷物の元データを編集することなく、印刷物の内容を編集することができる。
【０００７】
好適には、前記判定手段は、読取画像の下地画像から取得される当該読取画像の識別子に基づいて判定する。本発明によれば、使用者が識別子を入力する手間を省くことができる。
【０００８】
好適には、前記解析手段は、読取画像の下地画像に埋め込まれた位置情報に基づいて編集領域を解析する。本発明によれば、印刷物に対して手書きすることで編集領域を指定することができる。
【０００９】
好適には、前記生成手段は、記憶されている画像において編集領域に対応する部分画像を拡大する。本発明によれば、可視性の高い印刷物を得ることができる。
【００１０】
好適には、前記生成手段は、記憶されている画像において編集領域に含まれる構成要素の色を変換する。本発明によれば、訴求性の高い印刷物を得ることができる。
【００１１】
また、本発明に係るプログラムは、コンピュータと、画像を読み取る読取手段とを含む画像形成装置において、前記読取手段により読み取られた読取画像に対応する画像が記憶されているか否かを判定する判定ステップと、前記判定により対応する画像が記憶されていると判定された読取画像の下地画像に基づいて編集領域を解析する解析ステップと、前記解析された編集領域と、前記記憶されている読取画像に対応する画像とに基づいて出力画像を生成する生成ステップとを前記画像形成装置のコンピュータに実行させる。本発明によれば、印刷物の元データを編集することなく、印刷物の内容を編集することができる。
【発明の効果】
【００１２】
本発明に係る画像形成システムによれば、印刷物の元データを編集することなく、印刷物の内容を編集することができる。
【発明を実施するための最良の形態】
【００１３】
まず、本発明の実施形態に係る画像形成システムによる印刷処理の概要を説明する。
図１は、本発明の実施形態に係る画像形成システムに含まれる画像形成装置による印刷結果の第１の実施例を示す図である。
図１（Ａ）は、スキャナ等の読取装置により読み取られる原稿を例示する図である。図１（Ａ）に例示するように、原稿には、文字、図形等を含む画像が印刷されている。このような原稿は、例えば、文書作成ソフト、表計算ソフト等で作成され、用紙などの記録媒体に印刷される。
【００１４】
図１（Ｂ）は、図１（Ａ）に示される原稿が画像形成装置により読み取られて複写された複写物を例示する図である。図１（Ｂ）に例示するように、複写物の下地領域には、下地画像が印刷されている。このような複写物は、例えば、チラシやパンフレットとして配布される。
【００１５】
本発明の実施形態に係る画像形成システムにおいて、画像形成装置は、複写のために読み取られた読取画像の画像データに対して例えばファイル名等の識別子（ＩＤ）を付与し、画像データ及びＩＤをサーバに対して送信する。サーバは、当該画像データ及びＩＤを蓄積する。また、画像形成装置は、デジタル情報が埋め込まれた下地画像を生成し、読取画像に下地画像を合成して印刷し、図１（Ｂ）に示される複写物を出力する。
【００１６】
デジタル情報には、画像データのＩＤ、サーバの識別子（例えば、ＩＰアドレス）及び用紙に対する位置情報（例えば、座標）が含まれる。したがって、下地画像の各部分領域には、画像データのＩＤ、サーバの識別子及び当該部分領域の位置情報が、デジタル情報として埋め込まれている。デジタル情報の埋め込み手法は、例えば、非特許文献１に開示されている手法が用いられる。
【００１７】
図１（Ｃ）は、図１（Ｂ）に示される複写物に手書きが加えられたものを例示する図である。図１（Ｃ）に例示するように、複写物がチラシやパンフレットとして配布された場合、鉛筆やボールペン等を用いて、チラシ等に対して、印が付けられることがある。本例では、複写物の一部の領域が、線で囲まれている。
【００１８】
図１（Ｄ）は、図１（Ｃ）に示される複写物が画像形成装置により複写されて生成された印刷物を例示する図である。図１（Ｄ）に例示するように、印刷物される画像は、線で囲まれた画像領域が拡大されて生成された拡大画像である。
【００１９】
このように、本発明の実施形態に係る画像形成システムは、複写処理において読み取られた読取画像に基づいて編集処理を施す領域（以降、編集領域ともいう）を解析し、編集領域の画像に基づいて出力画像を生成する。より具体的には、画像形成システムは、読取画像の下地画像に基づいて編集領域を解析する。例えば、手書きにより塗りつぶされた領域においては、下地画像に含まれる位置情報が取得されず、欠落する。したがって、画像形成システムは、位置情報が欠落している座標に囲まれている画像領域を編集領域とする。
【００２０】
また、画像形成システムは、読取画像に対応する画像であって予め記憶されている画像の当該編集領域の部分画像を編集して出力画像を生成する。本例では、部分領域が拡大されて、出力画像が生成されている。したがって、チラシ等に含まれる文字や図形が小さい場合においても、高齢者等は、文字等を拡大してチラシの内容を確認することができる。
【００２１】
なお、画像データは、原稿が印刷される場合にサーバに記憶されてもよい。例えば、原稿が印刷される場合、画像データは、パーソナルコンピュータ等の端末装置からコピー機、複合機等の画像形成装置に対して送信される。ここで、画像形成装置は、下地画像を生成し、図１（Ｂ）に示されるような印刷物を出力するとともに、元の画像データをサーバに対して送信する。サーバは、送信された画像データを受信し、蓄積する。
【００２２】
図２は、本発明の実施形態に係る画像形成システムに含まれる画像形成装置による印刷結果の第２の実施例を示す図である。
図２（Ａ）は、原稿を例示する図である。例えば、原稿は、会議等で使用されるホワイトボードにより出力されたものである。図２（Ｂ）は、図２（Ａ）に示される原稿が画像形成装置により読み取られて複写された複写物を例示する図である。図２（Ｂ）に例示するように、複写物の下地領域には、デジタル情報が埋め込まれた下地画像が印刷されている。また、複写処理において、読取画像の画像データは、サーバ等に蓄積されている。
【００２３】
図２（Ｃ）は、図２（Ｂ）に示される複写物に手書きが加えられたものを例示する図である。図２（Ｃ）に例示するように、所定の領域が線で囲まれている。例えば、重要事項が会議で決定された場合、重要事項を含む領域が線で囲まれる。
【００２４】
図２（Ｄ）は、図２（Ｃ）に示される複写物が画像形成装置により複写されて生成された印刷物を例示する図である。図２（Ｄ）に例示するように、当該領域に含まれる文字は、赤く色変換されて印刷されている。したがって、文字や図形の色を変換させることにより、複写物の一部の領域を強調させることができる。
【００２５】
以降、本発明の実施形態に係る画像形成システムを説明する。
図３は、本発明の実施形態に係る画像形成システム１を示す図である。
図３に示すように、画像形成システム１は、ネットワーク３を介して接続された画像形成装置１０及びサーバ２を含む。
【００２６】
サーバ２は、後述する記憶装置を含み、ＩＰアドレスにより識別されるコンピュータである。サーバ２は、画像を記憶する画像記憶手段を構成する。例えば、サーバ２は、所定のファイルシステム上で所定のディレクトリに、ファイルとして画像データを保存する。なお、ディレクトリは、フォルダともいう。
【００２７】
画像形成装置１０は、例えば、スキャナ等の読取装置とプリントエンジン等の印刷装置とを備えたコピー機、複合機等である。したがって、画像形成装置１０は、印刷（プリント）機能、複写（コピー）機能及び読取（スキャン）機能を有する。
【００２８】
ネットワーク３は、ＬＡＮ（Local Area Network）及びＷＡＮ（Wide Area Network）の少なくともいずれかにより構成されている。したがって、サーバ２及び画像形成装置１０は、所定のデータをネットワーク３を介して送信及び受信する。なお、ネットワーク３は、有線であってもよいし、無線であってもよい。
【００２９】
図４は、画像形成装置１０のハードウェア構成を示す図である。
図４に示すように、画像形成装置１０は、ＣＰＵ１００、メモリ１０２、ハードディスク駆動装置等の記憶装置１０４、ネットワーク３を介してサーバ２との間でデータの通信を行う通信装置１０６、タッチパネル又は液晶ディスプレイ並びにキーボードを含むユーザインタフェース（ＵＩ）装置１０８、画像を読み取って読取画像データをＣＰＵ１００に対して出力する例えばスキャナ等の読取装置１１０、及び読取装置１１０又は通信装置１０６を介して入力された画像を記録用紙上に印刷する印刷装置１１２を有する。これらの構成要素は、バス１１４を介して互いに接続されている。なお、サーバ２もまた、ＣＰＵ１００、メモリ１０２、記憶装置１０４、通信装置１０６及びＵＩ装置１０８を含むハードウェア構成を有する。
【００３０】
図５は、画像形成装置１０により実行される画像複写プログラム２０の機能構成を示す図である。
図５に示すように、画像複写プログラム２０は、印刷制御部２００、情報判定部２０２、領域解析部２０４、画像データ送受信部２０６、画像生成部２０８及び情報付加部２１０を有する。画像複写プログラム２０は、例えば、通信装置１０６を介して供給され、メモリ１０２にロードされて、ＣＰＵ１００で動作するＯＳ上で、ハードウェアを具体的に利用して実行される。なお、画像複写プログラム２０の全部又は一部の機能は、画像形成装置１０に設けられたハードウェアにより実現されてもよい。
【００３１】
画像複写プログラム２０において、印刷制御部２００は、画像複写プログラム２０の各構成要素を制御する。複写処理において、印刷制御部２００は、読取装置１１０により出力される読取画像データを受け付け、各構成要素との間でデータの入出力を行い、出力画像データを印刷装置１１２に対して出力する。また印刷処理において、印刷制御部２００は、ネットワーク３を介して例えば図示しないパーソナルコンピュータ等の端末装置から画像データを受け付け、この画像データを出力画像データとして印刷装置１１２に対して出力する。
【００３２】
情報判定部２０２は、読取画像データを印刷制御部２００から受け付け、読取画像に対応する画像がサーバ２に記憶されているか否かを判定する。具体的には、情報判定部２０２は、読取画像の下地画像にデジタル情報が埋め込まれているか否かを判定し、デジタル情報から取得される識別子により識別される画像がサーバ２に記憶されているか否かを判定する。デジタル情報が読取画像の下地画像に埋め込まれている場合、情報判定部２０２は、読取画像からデジタル情報を取得し、デジタル情報を印刷制御部２００に対して出力する。
【００３３】
領域解析部２０４は、対応する画像がサーバ２に記憶されていると判定された読取画像の下地画像に基づいて編集領域を解析する。手書き領域においては位置情報が欠落しているので、領域解析部２０４は、位置情報が欠落している場合には手書きが施されていると判定し、位置情報が取得されなかった画像領域を手書き領域とし、手書き領域に囲まれた画像領域を編集領域とする。
【００３４】
なお、領域解析部２０４は、複数（例えば３以上）の手書き領域を抽出し、これらの手書き領域を結んで形成される画像領域を編集領域としてもよい。また、領域解析部２０４は、２つの手書き領域を抽出し、これらの手書き領域により挟まれて形成される画像領域を編集領域としてもよい。
【００３５】
画像データ送受信部２０６は、情報判定部２０２により読取画像に対応する画像がサーバ２に記憶されていると判定された場合、通信装置１０６を介してサーバ２から画像データを取得する。より具体的には、画像データ送受信部２０６は、デジタル情報に含まれているサーバ２のＩＰアドレス、画像データのＩＤ（例えばファイル名）及び保存場所（例えばディレクトリ）を印刷制御部２００から受け付け、ネットワーク３を介して当該ＩＰアドレスにより識別されるサーバ２にアクセスし、当該ディレクトリに保存されている画像データを取得する。
【００３６】
また、画像データ送受信部２０６は、情報判定部２０２により読取画像に対応する画像がサーバ２に記憶されていないと判定された場合、通信装置１０６を介してサーバ２に対して読取画像データを送信する。この場合、画像データ送受信部２０６は、後述する情報付加部２１０により生成される読取画像データのＩＤも送信する。なお、サーバ２は、送信された読取画像データ及びＩＤを受信すると、読取画像データにＩＤを関連付けて所定のディレクトリに保存する。
【００３７】
画像生成部２０８は、領域解析部２０４により解析された編集領域と、サーバ２に記憶されている読取画像に対応する画像とに基づいて出力画像を生成する。具体的には、画像生成部２０８は、画像データ送受信部２０６によりサーバ２から取得された画像データを受け付け、当該画像の編集領域に該当する部分画像を編集して出力画像を生成する。
【００３８】
例えば、編集処理が拡大である場合、画像生成部２０８は、編集領域の部分画像を拡大して出力画像を生成する。この場合、画像生成部２０８は、ドット数を変倍することにより部分画像を拡大する。また例えば、編集処理が色の変換である場合、画像生成部２０８は、編集領域に含まれる例えば文字、図形等の構成要素の色を変換して出力画像を生成する。このような編集内容は、ＵＩ装置１０８を介して入力され、予め設定されている。編集内容には、例えば、線を太く（又は細く）する、構成要素を削除する、部分画像を所定の画像に置き換える、文字のフォントを変更する、下地画像を削除する（デジタル情報を削除する）等も含まれる。
【００３９】
情報付加部２１０は、情報判定部２０２によりデジタル情報が読取画像にが埋め込まれていないと判定された場合、読取画像の下地に、デジタル情報が埋め込まれた下地画像を合成する。この場合、情報付加部２１０は、画像データを一意に識別する識別子を生成し、当該識別子、サーバ２のＩＰアドレス、保存場所、位置情報等を含むデジタル情報に基づいて下地画像を生成する。情報付加部２１０は、デジタル情報に従って、例えば読取画像の左上から右下にかけて所定の間隔で２種類の太さの線パターンを埋め込んで、読取画像に下地画像を合成する。
【００４０】
図６は、本発明の実施形態に係る画像形成システム１の複写時における全体動作（Ｓ１０）を示すフローチャートである。
図６に示すように、ステップ１００（Ｓ１００）において、画像形成装置１０上で動作する画像複写プログラム２０の印刷制御部２００は、読取装置１１０により読み取られた読取画像データを受け付ける。
【００４１】
ステップ１０２（Ｓ１０２）において、情報判定部２０２は、印刷制御部２００から出力された読取画像データの下地画像にデジタル情報が埋め込まれているか否かを判定する。情報判定部２０２は、デジタル情報が埋め込まれている場合、読取画像に対応する画像がサーバ２に記憶されていると判定し、Ｓ１１２の処理に進み、そうでない場合、読取画像に対応する画像がサーバ２に記憶されていないと判定し、Ｓ１０４の処理に進む。
【００４２】
デジタル情報が読取画像に埋め込まれていない場合、ステップ１０４（Ｓ１０４）において、情報付加部２１０は、読取画像データを識別するＩＤを生成して印刷制御部２００に対して出力する。
ステップ１０６（Ｓ１０６）において、画像データ送受信部２０６は、印刷制御部２００から出力された読取画像データと当該読取画像データのＩＤとをサーバ２に送信する。よって、読み取られた画像データは、サーバ２に格納される。
【００４３】
ステップ１０８（Ｓ１０８）において、情報付加部２１０は、デジタル情報に基づいて下地画像を生成する。
ステップ１１０（Ｓ１１０）において、情報付加部２１０は、読取画像の背景に下地画像を合成して出力画像を生成し、出力画像データを印刷制御部２００に対して出力する。
【００４４】
その後、ステップ１２２（Ｓ１２２）において、印刷制御部２００は、出力画像データを印刷装置１１２に対して出力する。印刷装置１１２は、用紙などの記録媒体に出力画像を印刷する。このようにして、読み取られた原稿は複写される。
【００４５】
一方、デジタル情報が読取画像に埋め込まれている場合、ステップ１１２（Ｓ１１２）において、情報判定部２０２は、読取画像の下地画像からデジタル情報を取得して印刷制御部２００に対して出力する。
ステップ１１４（Ｓ１１４）において、画像データ送受信部２０６は、デジタル情報を印刷制御部２００から受け付け、デジタル情報に含まれるＩＤにより識別される画像データをサーバ２から取得し、当該画像データを印刷制御部２００に対して出力する。
【００４６】
ステップ１１６（Ｓ１１６）において、領域解析部２０４は、読取画像を印刷制御部２００から受け付け、読取画像に手書きが施されているか否かを判定する。領域解析部２０４は、読取画像に手書きが施されている場合にはＳ１１８の処理に進み、そうでない場合にはＳ１２２の処理に進む。
【００４７】
ステップ１１８（Ｓ１１８）において、領域解析部２０４は、手書きが施されている領域を抽出して編集領域を解析し、編集領域に関する情報（例えば座標などの位置情報）を印刷制御部２００に対して出力する。
【００４８】
ステップ１２０（Ｓ１２０）において、画像生成部２０８は、領域解析部２０４により解析された編集領域と、画像データ送受信部２０６によりサーバ２から取得された画像とに基づいて出力画像を生成する。具体的には、画像生成部２０８は、当該画像の編集領域に該当する部分画像を編集する。なお、編集内容は、予め設定されている。その後、Ｓ１２４の処理で、出力画像が印刷される。
【００４９】
また、読取画像に手書きが施されていない場合、ステップ１２２（Ｓ１２２）において、印刷制御部２００は、読取画像に対応する画像、即ち画像データ送受信部２０６によりサーバ２から取得された画像を出力画像とする。その後、Ｓ１２４の処理で、出力画像が印刷される。
【００５０】
なお、編集領域の解析手法として、領域解析部２０４は、読取画像と、サーバ２に記憶されている当該読取画像に対応する画像との差分に基づいて編集領域を解析してもよい。この場合、領域解析部２０４は、読取画像と、画像データ送受信部２０６により取得された画像との間に差分がある場合には手書きが施されていると判定し、読取画像と、前記取得された画像との差分を抽出し、差分が抽出された領域を手書き領域とし、当該手書き領域に基づいて編集領域を解析する。
【００５１】
また、画像データを記憶する記憶手段は、サーバ２ではなく、画像形成装置１０に設けられた記憶装置１０４により実現されてもよい。この場合、画像データは、画像形成装置１０の記憶装置１０４に格納される。したがって、画像複写プログラム２０の画像データ送受信部２０６は、画像形成装置１０の記憶装置１０４から所定の画像データを読み出し、画像データを記憶装置１０４に書き込む。
【００５２】
また、デジタル情報は、例えばＱＲコード等の２次元コードに埋め込まれてもよい。この場合、画像複写プログラム２０は、デジタル情報が読取画像に含まれていない場合、読取画像に２次元コードを合成し、デジタル情報が読取画像に含まれている場合、読取画像の２次元コードからデジタル情報を取得する。
【００５３】
また、画像形成装置１０は、印刷処理において外部の端末装置（不図示）から送信された印刷対象の画像データを受信した場合、当該画像データを識別する識別子を生成して記憶手段に格納してもよい。この場合、画像複写プログラム２０は、送信された画像データの背景にデジタル情報が埋め込まれた下地画像を合成して印刷する。記憶される画像データは、所定のページ記述言語で記述されていてもよい。このような画像データに対して例えば拡大処理などの編集が施される場合、文字コードに付加された、文字の大きさ（ポイント）情報を変更することにより、文字が拡大される。
【００５４】
さらに、編集方法の指定は、読取画像に基づいて決定されてもよい。
図７は、図１（Ａ）に示される原稿が読み取られて複写された複写物を例示する図である。図７に示すように、画像形成装置１０は、読取画像の下地領域に下地画像を合成すると共に、破線で囲まれる編集方法指定部を合成して、複写物を印刷してもよい。この場合、画像複写プログラム２０の情報付加部２１０が、編集方法指定部を合成する。
【００５５】
このような複写物では、拡大、色変換及び削除のチェックボックスいずれかが、例えば手書きで黒く塗りつぶされる。チェックが付加された複写物がさらに複写される場合、画像複写プログラム２０の情報判定部２０２が、読取画像から、いずれの編集方法が選択されたかを判定し、判定結果を印刷制御部２００に対して出力する。
【図面の簡単な説明】
【００５６】
【図１】本発明の実施形態に係る画像形成システムに含まれる画像形成装置による印刷結果の第１の実施例を示す図である。
【図２】本発明の実施形態に係る画像形成システムに含まれる画像形成装置による印刷結果の第２の実施例を示す図である。
【図３】本発明の実施形態に係る画像形成システム１を示す図である。
【図４】画像形成装置１０のハードウェア構成を示す図である。
【図５】画像形成装置１０により実行される画像複写プログラム２０の機能構成を示す図である。
【図６】本発明の実施形態に係る画像形成システム１の複写時における全体動作（Ｓ１０）を示すフローチャートである。
【図７】図１（Ａ）に示される原稿が読み取られて複写された複写物を例示する図である。
【符号の説明】
【００５７】
１ 画像形成システム
２ サーバ
３ ネットワーク
１０ 画像形成装置
２０ 画像複写プログラム
１００ ＣＰＵ
１０２ メモリ
１０４ 記憶装置
１０６ 通信装置
１０８ ＵＩ装置
１１０ 読取装置
１１２ 印刷装置
２００ 印刷制御部
２０２ 情報判定部
２０４ 領域解析部
２０６ 画像データ送受信部
２０８ 画像生成部
２１０ 情報付加部
【図１】
2008279708.tif 000003
【図２】
2008279708.tif 000004
【図３】
2008279708.tif 000005
【図４】
2008279708.tif 000006
【図５】
2008279708.tif 000007
【図６】
2008279708.tif 000008
【図７】
2008279708.tif 000009